(57)【特許請求の範囲】
【請求項１】
所定の符号化タイプで符号化された動画像符号化データを、前記符号化タイプとは異なる符号化タイプで再符号化するトランスコーダであって、
前記動画像符号化データを蓄積する蓄積部と、前記動画像符号化データを復号する復号部と、復号された画像を再符号化する符号化部と、前記蓄積部、前記復号部、前記符号化部を制御する制御部を備え、
前記制御部は、先頭及び後端をＩピクチャ又はＰピクチャ、その他をＢピクチャとするピクチャグループ単位に設定された再符号化の符号化タイプに基づき、前記ピクチャグループの先頭及び後端のピクチャを符号化するために必要なピクチャに対応する前記動画像符号化データを前記蓄積部から読み出し、前記復号部で復号し当該復号画像データを用いて前記符号化部により前記ピクチャグループの先頭及び後端のピクチャをＩピクチャ又はＰピクチャに再符号化し、
再度、前記ピクチャグループの先頭に続くＢピクチャに対応するピクチャの前記動画像符号化データを前記蓄積部から順次読み出し、前記復号部で復号し当該復号画像データ及び前記先頭及び後端のピクチャの前記復号画像データを用いて前記符号化部でＢピクチャに再符号化することを特徴とするトランスコーダ。
【請求項２】
蓄積部に蓄積された所定の符号化タイプで符号化された動画像符号化データを、前記符号化タイプとは異なる符号化タイプで再符号化するトランスコーダ方法であって、
先頭及び後端をＩピクチャ又はＰピクチャ、その他をＢピクチャとするピクチャグループ単位に設定された再符号化の符号化タイプに基づき、前記蓄積部から前記ピクチャグループの先頭及び後端のピクチャを符号化するために必要なピクチャに対応する前記動画像符号化データを読み出し、
該読み出した動画像符号化データを復号し、当該復号画像データを用いて前記ピクチャグループの先頭及び後端のピクチャをＩピクチャ又はＰピクチャに再符号化し、
再度、前記蓄積部から前記ピクチャグループの先頭に続くＢピクチャに対応するピクチャの前記動画像符号化データを順次読み出し、
該読み出した動画像符号化データを復号し、当該復号画像データ及び前記先頭及び後端のピクチャの前記復号画像データを用いてＢピクチャに再符号化することを特徴とするトランスコーダ方法。
【発明の詳細な説明】
【技術分野】
【０００１】
本発明は、高能率符号化された動画像符号化データを復号化した後、再度符号化するトランスコーダ及びトランスコード方法に関する。
【背景技術】
【０００２】
近年、動画を記録するＨＤＤレコーダが普及している。これらはテレビ放送を記録することを主目的としており、アナログ放送の場合はＭＰＥＧ方式で高能率符号化してＨＤＤに記録する。デジタル放送の場合はＭＰＥＧ方式で高能率符号化された動画像符号化データが入力されるので、動画像符号化データを高能率符号化することなく記録するか、もしくは一旦復号して解像度やビットレートを変えて高能率符号化したものを記録する。但し、デジタル放送を記録する際は高能率符号化しない場合でも放送される動画像符号化データそのものを記録するのではなく、通常はチャンネル選択後の符号化データや、独自に暗号化した符号化データを記録する。
ＨＤＤレコーダにはＤＶＤレコーダも備える機器があり、放送波を直接ＤＶＤに記録する、或いは一旦ＨＤＤに記録した動画像データをＤＶＤに記録し直すことができる。
【０００３】
ＨＤＤからＤＶＤに記録し直す場合、ＤＶＤに記録できる符号化フォーマット、記録容量や記録速度の制限から一旦動画像符号化データを復号し、解像度やビットレートを変えて再符号化することがある。特にＤＶＤはＨＤＤに比べて記録容量が少ないため、低いビットレートで記録することが一般的である。
【０００４】
低いビットレートで再エンコードする装置（以下では再エンコードすることをトランスコード、再エンコード装置をトランスコーダと呼称する）としては、例えば特許文献１にその技術が開示されている。同文献に記載されている技術では、符号化画像の種類としてフレーム内符号化画像（以下Ｉピクチャと呼称する）、フレーム間順方向予測符号化画像（以下Ｐピクチャと呼称する）、双方向予測符号化画像（以下Ｂピクチャと呼称する）があり、これらのうちではＩピクチャの符号量が最も多く、次いでＰピクチャ、Ｂピクチャの順に符号量が多いという特徴を用いて、ＩピクチャやＰピクチャの数を減らすように再符号化するものである。例えば、ピクチャ群が（ＩＢＢＰＢＢＩＢＢＰＢＢＰ）として符号化されている場合は、一旦ピクチャ群を復号して復号画像を生成し、復号画像列を（ＩＢＢＢＢＢＰＢＢＢＢＢＰ）として再符号化する。
【特許文献１】特開２００５−１２３８２９号公報
【発明の開示】
【発明が解決しようとする課題】
【０００５】
しかしながら、特許文献１に見られるようなトランスコード方法においては再符号化のために多数のフレームメモリが必要になるという問題がある。
例えば、ピクチャ群を（ＩＢＢＢＢＢＰＢＢＢＢＢＰ）として再符号化する場合の例を図１２に示す。図１２（Ａ）に示すように符号化する画像は左からＩ１，Ｂ２，Ｂ３，Ｂ４，Ｂ５，Ｂ６，Ｐ７，Ｂ８，Ｂ９，Ｂ１０，Ｂ１１，Ｂ１２，Ｐ１３の順に入力される。ここではＩ１をＩピクチャとして符号化し、Ｐ７，Ｐ１３をＰピクチャとして符号化し、それ以外の画像をＢピクチャとして符号化する。Ｂピクチャは双方向から予測符号化されるため、Ｂピクチャの符号化に先立って前後のＩピクチャもしくはＰピクチャは符号化され、ローカルデコード画像が生成されている必要がある。例えば、Ｂ２〜Ｂ６はＩ１，Ｐ７のローカルデコード画像から予測するため、Ｂ２〜Ｂ６の符号化前にＩ１，Ｐ７を符号化しておく。従って、符号化順はＩ１，Ｐ７，Ｂ２，Ｂ３，Ｂ４，Ｂ５，Ｂ６，Ｐ１３，Ｂ８，Ｂ９，Ｂ１０，Ｂ１１，Ｂ１２となる。このように入力画像を符号化順に入れ替えることをリオーダリングと呼ぶ。従来のトランスコード方法では、リオーダリングのためにＢ２〜Ｂ６，Ｂ８〜Ｂ１２は一旦フレームメモリに記録し、Ｐ７，Ｐ１３の符号化が完了するまで保持しておかなければならない。即ち図１２の例の場合、Ｂ２〜Ｂ６或いはＢ８〜Ｂ１２を保持するために５フレーム分のフレームメモリが必要になる。
本発明は、このような状況に鑑み、少ないメモリで再符号化可能なトランスコーダ及びトランスコード方法を提供することを目的とするものである。
【課題を解決するための手段】
【０００６】
上述の課題を解決する本発明のトランスコーダは、所定の符号化タイプで符号化された動画像符号化データを、前記符号化タイプとは異なる符号化タイプで再符号化するトランスコーダであって、  前記動画像符号化データを蓄積する蓄積部と、前記動画像符号化データを復号する復号部と、復号された画像を再符号化する符号化部と、前記蓄積部、前記復号部、前記符号化部を制御する制御部を備え、前記制御部は、先頭及び後端をＩピクチャ又はＰピクチャ、その他をＢピクチャとするピクチャグループ単位に設定された再符号化の符号化タイプに基づき、前記ピクチャグループの先頭及び後端のピクチャを符号化するために必要なピクチャに対応する前記動画像符号化データを前記蓄積部から読み出し、前記復号部で復号し当該復号画像データを用いて前記符号化部により前記ピクチャグループの先頭及び後端のピクチャをＩピクチャ又はＰピクチャに再符号化し、再度、前記ピクチャグループの先頭に続くＢピクチャに対応するピクチャの前記動画像符号化データを前記蓄積部から順次読み出し、前記復号部で復号し当該復号画像データ及び前記先頭及び後端のピクチャの前記復号画像データを用いて前記符号化部でＢピクチャに再符号化することを特徴とする。
【０００７】
また、上述の課題を解決する本発明のトランスコーダ方法は、蓄積部に蓄積された所定の符号化タイプで符号化された動画像符号化データを、前記符号化タイプとは異なる符号化タイプで再符号化するトランスコーダ方法であって、先頭及び後端をＩピクチャ又はＰピクチャ、その他をＢピクチャとするピクチャグループ単位に設定された再符号化の符号化タイプに基づき、前記蓄積部から前記ピクチャグループの先頭及び後端のピクチャを符号化するために必要なピクチャに対応する前記動画像符号化データを読み出し、該読み出した動画像符号化データを復号し、当該復号画像データを用いて前記ピクチャグループの先頭及び後端のピクチャをＩピクチャ又はＰピクチャに再符号化し、再度、前記蓄積部から前記ピクチャグループの先頭に続くＢピクチャに対応するピクチャの前記動画像符号化データを順次読み出し、該読み出した動画像符号化データを復号し、当該復号画像データ及び前記先頭及び後端のピクチャの前記復号画像データを用いてＢピクチャに再符号化することを特徴とする。
【発明の効果】
【０００８】
本発明によるトランスコーダ及びトランスコード方法では、フレーム内符号化及び前方向のフレーム間予測符号化する画像を先に復号し、再符号化で必要であったリオーダリング後の順番で再符号化する画像列を生成する、即ち、動画像符号化データを２度読み出し、最初の読み出しでフレーム内符号化及び前方向のフレーム間予測符号化する画像を復号し、２回目の読み出しで双方向のフレーム間予測符号化する画像を復号するようにしたもので、そのため、再符号化でリオーダリングに用いていたフレームメモリが不要になる。また、リオーダリングが不要になるため、再符号化の符号化制御が容易になるという効果もある。さらに、再符号化の符号化タイプの並びには制限がなく、例えばＢピクチャの数を大幅に増やす等の制御で低ビットレートでの符号化が容易になるという効果もある。
【発明を実施するための最良の形態】
【０００９】
本発明を実施するための最良の形態について図面を用いて詳細に説明する。なお、本発明はこれら実施の形態に何ら限定されるものではなく、その要旨を逸脱しない範囲において、種々なる態様で実施しうる。
【００１０】
本実施形態は、動画像符号化データのうちＩピクチャ及びＰピクチャを先に復号することで少ないフレームメモリでトランスコード可能なトランスコーダ及びトランスコード方法を提案するものである。
本実施形態に係るトランスコーダの機能ブロックを図１に例示する。図１に示すトランスコーダは符号化部２、蓄積部３、復号部４を制御する制御部１と、動画像符号化データを蓄積する蓄積部３と、動画像符号化データを復号する復号部４と、復号された画像を再符号化する符号化部２と、を含んで構成される。
【００１１】
以下では外部から入力される放送を符号化部２で符号化し、図２に示す動画像符号化データを生成して蓄積部３に記録し、該動画像符号化データを復号部４で復号し、符号化部２で図３に示す再符号化タイプでトランスコードする例について説明する。なお、以降の説明では動画像符号化データの符号化タイプを小文字のｉ，ｐ，ｂを用い、再符号化する符号化タイプを大文字のＩ，Ｐ，Ｂを用いて区別する。
【００１２】
図２（Ａ）は動画像符号化データが生成される前の画像列と符号化タイプを示しており、ｉ１，ｂ２，ｂ３の順に入力される画像をｉ１，ｉ１３はｉピクチャ、ｐ４，ｐ７，ｐ１０はｐピクチャ、それ以外はｂピクチャとして符号化される。符号化は図２（Ｂ）に示す順で行われる。即ち、ｂピクチャは直後のｉもしくはｐピクチャを参照画像として予測に用いるため、該ｉもしくはｐピクチャが先に符号化される。
【００１３】
図２（Ｂ）に示した動画像符号化データは蓄積部３に記録されており、図３（Ａ）に示す符号化タイプにトランスコードされる。ここではＩピクチャもしくはＰピクチャとして再符号化する２枚の画像と、これらに囲まれＢピクチャとして符号化される画像の組をピクチャグループと呼称する。図３（Ｂ）に本例でのピクチャグループを示す。Ｉ１〜Ｐ７、Ｐ７〜Ｉ１３がそれぞれピクチャグループを構成する。
【００１４】
蓄積部３には図２（Ｂ）に示した順で符号化された動画像符号化データが記録されており、制御部１からの制御によって、ピクチャグループの動画像符号化データを復号部４に出力する。蓄積部３から復号部４に入力される符号化データ、及び復号部４から出力され符号化部２に入力される復号画像列を図４に示す。
【００１５】
図４（Ａ）は蓄積部３に記録されている動画像符号化データを示しており、復号部４にはピクチャグループ毎に動画像符号化データが２回入力される。図４（Ｂ）は１回目の動画像符号化データを示しており、復号部４ではこの符号化データからＩピクチャもしくはＰピクチャとして再符号化する画像、即ち最初のピクチャグループについてはｉ１，ｐ７を復号し、符号化部２に出力する。ｉ１，ｐ７を復号するためにはｉ１，ｐ４，ｐ７の動画像符号化データがあればよく、その間にあるｂ２，ｂ３の動画像符号化データは読み出す必要はない。図４（Ｃ）は２回目の動画像符号化データを示しており、復号部４ではこの動画像符号化データからＢピクチャとして再符号化する画像を復号して復号画像列を符号化部２に出力する。最初のピクチャグループについてはｂ２，ｂ３，ｐ４，ｂ５，ｂ６を復号して出力する。ここでも、ｂ２，ｂ３，ｐ４，ｂ５，ｂ６の動画像符号化データがあればよく、その間にあるｐ７は１回目の動画像符号化データ読み出し時に復号済なので、２回目の動画像符号化データでは読み出す必要はない。以上で復号部４にリオーダリング後の符号化順で復号画像列が入力される。同様に次のピクチャグループについても１回目の動画像符号化データからｉ１３を復号し、符号化部２に出力するとともに復号部４に保持し、２回目の動画像符号化データからｂ８，ｂ９，ｐ１０，ｂ１１，ｂ１２を復号して復号画像列を復号部２に入力する。２つ目のピクチャグループを構成するＩ，Ｐピクチャはｐ７及びｉ１３であるが、ｐ７は最初のピクチャグループと重複しており、既に符号化部２に入力されているので、２つ目のピクチャグループの処理では復号しない。
【００１６】
符号化部２では制御部１から制御により、入力された画像列をリオーダリングすることなく図３（Ａ）で示した符号化タイプで符号化する。即ちＩ１，Ｐ７，Ｂ２，Ｂ３の順に符号化し、動画像符号化データを蓄積部３に出力する。符号化部２はローカルデコード画像を保持するためのフレームメモリは備えるが、従来必要であったリオーダリングのためのフレームメモリは備える必要はない。なお、蓄積部３は例えばＨＤＤや記録可能なＤＶＤ、あるいは両者で構成されている。両者で構成されている場合は、ＨＤＤに記録されている動画像符号化データを低ビットレートで再符号化し、記録可能なＤＶＤに記録することができる。また、本実施の形態では符号化部２で放送波入力の符号化と、符号化された動画像符号化データの再符号化の両方を行うが、符号化用回路と再符号化用回路を備え、符号化、再符号化をそれぞれの回路で行っても構わない。
【００１７】
次に、その他の動画像符号化データの場合の例として、蓄積部３には図５に示す動画像符号化データが記録されており、該動画像符号化データを復号部４で復号し、符号化部２で図３に示す再符号化タイプでトランスコードする例について説明する。図２と図５の動画像符号化データは、１３枚目の画像の符号化タイプが異なる。即ち、図２ではｉピクチャとして符号化されているが、図５ではｐピクチャとして符号化されている。図５の動画像符号化データについて、蓄積部３から復号部４に入力される符号化データ、及び復号部４から出力され符号化部２に入力され復号画像列を図６に示す。
【００１８】
図４と図６では１３枚目の復号画像を生成するための動画像符号化データの読み出しが異なる。即ち図４の例では１３枚目の画像はｉピクチャとして符号化されているため、該ピクチャの符号化データだけを読み出してｉ１３を復号することができたが、図６の例ではｐピクチャとして符号化されているため、図６（Ｂ）に示すとおり、予測に用いるｐ１０の符号化データも読み出して復号する必要がある。なお、ｐ１３の復号はｐ１０とｐ１３の動画像符号化データが必要であり、その間に符号化されているｂ８、ｂ９の動画像符号化データは読み出す必要はない。それ以外の処理は図４、図６で同一であり、復号部４から符号化部２には図６（Ｄ）に示す復号画像列が出力される。
【００１９】
本実施形態に係るトランスコーダ及びトランスコード方法における処理の流れを図７に例示する。図７は図１に示した制御部１が設定した符号化タイプに従って、蓄積部３から読み出す動画像符号化データの制御と、復号部４における復号と復号画像出力の処理の流れを示すものである。
【００２０】
図７において、最初に制御部１が再符号化する符号化タイプを設定する（ステップＳ１）。即ち、ピクチャグループを設定し、ピクチャグループの先頭と後端をＩピクチャもしくはＰピクチャのどちらで符号化するのかを設定する。ピクチャグループの設定に制限はなく、例えば図３に示したように、動画像符号化データのｉピクチャはＩピクチャとして再符号化し、ｐピクチャのうち一部をＢピクチャとして再符号化する。あるいは全てのｐピクチャをＢピクチャとして再符号化する。あるいはＩピクチャ、Ｐピクチャ、Ｂピクチャを固定の間隔で配置するという設定が考えられる。
次にピクチャグループの先頭画像が復号済かどうかを判定する（ステップＳ２）。ピクチャグループの先頭画像は、直前のピクチャグループの後端画像と同一である。従って、トランスコードする最初のピクチャグループの場合は先頭画像が復号済でないが、２つ目のピクチャグループからは直前のピクチャグループの処理で復号済である。ピクチャグループの先頭画像が復号済でない場合はピクチャグループの先頭画像と後端画像が復号可能な動画像符号化データを読み出し（ステップＳ３）、該先頭画像と後端画像を復号して出力する（ステップＳ４）。ステップＳ３で読み出す動画像符号化データを決定する手順は後述する。ステップＳ２で先頭画像が復号済みの場合は、ピクチャグループの後端画像が復号可能な動画像符号化データを読み出し（ステップＳ５）、後端画像を復号して出力する（ステップＳ６）。ステップＳ５で読み出す動画像符号化データを決定する手順についても後述する。次にピクチャグループの先頭画像と後端画像以外、即ちＢピクチャとして再符号化する画像が復号可能な動画像符号化データを読み出し（ステップＳ７）、Ｂピクチャとして再符号化する画像を復号して出力する（ステップＳ８）。ステップＳ８で読み出す動画像符号化データを決定する手順についても後述する。
【００２１】
また、ステップＳ８ではピクチャグループ内でｉピクチャもしくはｐピクチャとして符号化されていた画像のうち、ピクチャグループ内の最後の復号画像及び次のピクチャグループの画像を保持する。例えば図３に示した再符号化の例において、最初ピクチャグループについてはｐ７を保持する。これは次のピクチャグループの動画像符号化データの復号時に、ｂ８，ｂ９，ｐ１０の復号のためにｐ７の復号画像が必要になるが、改めてｐ７を復号する手順を省くためである。また別の再符号化の例を図８に示す。図８はピクチャグループを構成する画像数を変更したもので、最初のピクチャグループについては、ｐピクチャとして符号化されていたｐ４の復号画像と次のピクチャグループのｐ７の復号画像を保持する。これも次のピクチャグループの動画像符号化データの復号時に、ｂ６の復号のためにｐ４とｐ７の復号画像が必要になるが、改めてｐ４，ｐ７を復号する手順を省くためである。
【００２２】
そして、トランスコードが終了かどうかを判定し（ステップＳ９）、終了でない場合はステップＳ１〜Ｓ８を繰り返す。終了の場合はトランスコード処理を終了する。
【００２３】
ステップＳ３で示した、ピクチャグループの先頭画像と後端画像が復号可能な動画像符号化データの読み出し手順を図９に示す。図９のフローにおいて、まず再符号化するピクチャグループの先頭に対応する動画像符号化データがｉピクチャとして符号化されているかどうかを判定し（ステップＳ１１）、ｉピクチャの場合は該ｉピクチャの動画像符号化データを読み出す（ステップＳ１２）。ｉピクチャでない場合は、該ピクチャグループの先頭に対応する動画像符号化データは前のピクチャから予測符号化されているので、該ピクチャグループより前にあるｉピクチャを検索し、検索されたｉピクチャから読み出す（ステップＳ１３）。そして、ピクチャグループの後端の画像に対応する動画像符号化データまでを読み出す（ステップＳ１４）。以上の動作でピクチャグループの先頭と後端を復号できる動画像符号化データが読み出される。
【００２４】
次に、ステップＳ５で示した、ピクチャグループの後端画像が復号可能な動画像符号化データの読み出し手順を図１０に示す。図１０のフローにおいて、まず再符号化するピクチャグループの後端に対応する動画像符号化データがｉピクチャとして符号化されているかどうかを判定し（ステップＳ２１）、ｉピクチャの場合は該ｉピクチャの動画像符号化データだけで復号可能なので、該ｉピクチャの動画像符号化データを読み出す（ステップＳ２２）。ｉピクチャでない場合は、再符号化するピクチャグループ内にｉピクチャがあるかどうかを判定し（ステップＳ２３）、ｉピクチャがある場合はピクチャグループの後端に対応する動画像符号化データは該ｉピクチャを起点として予測されているので、該ｉピクチャから動画像符号化データを読み出す（ステップＳ２４）。ｉピクチャがない場合は次にピクチャグループ内にｐピクチャがあるかどうかを判定する（ステップＳ２５）。ｐピクチャがある場合は該ｐピクチャから動画像符号化データを読み出す（ステップＳ２６）。ｐピクチャの復号には参照画像が必要であるが、これは直前のピクチャグループの画像列を生成する過程で復号済であり、復号部（１０４）内に保持されている。ピクチャグループ内にｉピクチャもｐピクチャもない場合は、ピクチャグループの後端画像に対応する動画像符号化データから読み出す（ステップＳ２７）。この場合、後端画像はｂピクチャとして符号化されており、ここでも予測に用いる参照画像が必要であるが、参照画像は直前のピクチャグループの画像列を生成する復号過程で復号済であり、復号部４内に保持されている。次にピクチャグループの後端画像に対応する動画像符号化データの読み出しが完了するまで読み出し動作を継続する（ステップＳ２８）。以上のフローで、ピクチャグループの後端を復号できる動画像符号化データが読み出される。
【００２５】
次に、ステップＳ７で示した、再符号化の符号化タイプがＢピクチャの画像が復号可能な動画像符号化データの読み出し手順を図１１に示す。図１１のフローにおいて、まず再符号化するピクチャグループの先頭画像の次にｉピクチャもしくはｐピクチャとして符号化されている画像に対応する動画像符号化データを読み出し開始位置とする（ステップＳ３１）。これは、リオーダリングのために動画像符号化データではｉピクチャもしくはｐピクチャが先に符号化されていたためである。図２，３の例の場合、ピクチャグループの先頭画像はｉ１であり、次にｉピクチャもしくはｐピクチャとして符号化されている画像はｐ４である。即ち、ｐ４、ｂ２、ｂ３の順に動画像符号化データを読み出す。これらの復号には参照画像としてｉ１が必要であるが、既に１回目の動画像符号化データの読み出しで復号済であり、２回目の読み出しではｉ１の動画像符号化データは読み出さない。次にピクチャグループの後端画像がｉピクチャもしくはｐピクチャとして符号化されているかどうかを判定する（ステップＳ３２）。ｉピクチャもしくはｐピクチャとして符号化されている場合は、該後端画像の次のｉピクチャもしくはｐピクチャの直前までの動画像符号化データを読み出す（ステップＳ３３）。図２，３の例の場合は、次にピクチャグループの後端画像はｐ７であり、次のｉピクチャもしくはｐピクチャはｐ１０である。即ち、ｐ１０の直前の動画像符号であるｂ６までが読み出される。ピクチャグループの後端画像がｉピクチャもしくはｐピクチャとして符号化されていない場合は、該後端画像の直前までの動画像符号化データを読み出す（ステップＳ３４）。この場合、後端画像はｂピクチャとして符号化されており、リオーダリングで予測に用いるｉピクチャもしくはｐピクチャの後に符号化されている。即ち、後端画像の動画像符号化データまで読み出すとピクチャグループ全ての画像を復号できる動画像符号化データが読み出されていることになる。
【００２６】
図７〜図１１で説明したフローは、動画像符号化データを無駄なく読み出す手順である。より制御を簡単にするために、符号化されている符号化タイプによらずに常にピクチャグループ全てが復号できる動画像符号化データを読み出し、必要な復号画像だけを復号部４から符号化部２に出力しても良い。
【図面の簡単な説明】
【００２７】
【図１】本発明の実施形態に係るトランスコーダの機能ブロックの一例を示す図である。
【図２】動画像符号化データとして符号化されている画像列の例を示す図である。
【図３】再符号化の符号化タイプとピクチャグループの例を示す図である。
【図４】本発明の実施形態における動画像符号化データの読み出しの例を示す図である。
【図５】動画像符号化データとして符号化されているその他の画像列の一例を示す図である。
【図６】本発明の実施形態における動画像符号化データの読み出しの他の例を示す図である。
【図７】本発明の実施形態における動画像符号化データの読み出し及び復号処理の流れを示すフロー図である。
【図８】再符号化の符号化タイプとピクチャグループの他の例を示す図である。
【図９】図７におけるステップＳ３で読み出す動画像符号化データを決定するフロー図である。
【図１０】図７におけるステップＳ５で読み出す動画像符号化データを決定するフロー図である。
【図１１】図７のステップＳ７で読み出す動画像符号化データを決定するフロー図である。
【図１２】符号化タイプと符号化順の例を示す図である。
【符号の説明】
【００２８】
１…制御部、２…符号化部、３…蓄積部、４…復号部。
【図１】
0004614895.tif 000002
【図２】
0004614895.tif 000003
【図３】
0004614895.tif 000004
【図４】
0004614895.tif 000005
【図５】
0004614895.tif 000006
【図６】
0004614895.tif 000007
【図７】
0004614895.tif 000008
【図８】
0004614895.tif 000009
【図９】
0004614895.tif 000010
【図１０】
0004614895.tif 000011
【図１１】
0004614895.tif 000012
【図１２】
0004614895.tif 000013